(57)【特許請求の範囲】
【請求項１】
設定器、制御装置、および前記制御装置と無線通信して調光信号を送出する照明制御装置を備え、
前記設定器は、
前記制御装置で生成された設定画面を表示する機能、前記設定画面上で、設置位置確認の対象とする照明制御装置を指示する第１の指示を受け付ける機能、前記設定画面上で、設置位置確認の対象とした照明制御装置の位置を指示する第２の指示を受け付ける機能、前記第２の指示に従って前記制御装置で生成されたエリア画面を表示する機能、前記エリア画面上で、表示されている照明制御装置の位置を他の位置に変更する第３の指示を受け付ける機能を有し、
前記制御装置は、
前記照明制御装置の設置位置確認のためのフロア図を含む前記設定画面を生成して前記設定器に送出する機能、前記第１の指示に従って該当する照明制御装置に対して、他の照明制御装置と区別する調光指示を送信する機能、前記第２の指示で指示された前記設定画面上の位置に前記照明制御装置を表示した画面を生成して前記エリア画面として前記設定器に送出するとともに、前記エリア画面上の前記照明制御装置の位置に対応する物理的位置を前記照明制御装置のノードＩＤとしての論理的ＩＤに対応付けて対応テーブルに記憶する機能、前記第３の指示で指示された前記エリア画面上の他の位置に前記照明制御装置を表示した画面を生成して新たなエリア画面として前記設定器に送出するとともに、前記他の位置に対応する物理的位置を前記照明制御装置のノードＩＤとしての論理的ＩＤに対応付けるようにして対応テーブルを変更する機能を有することを特徴とする、現場で照明制御装置の論理的ＩＤと物理的位置を対応付け可能な照明制御システム。
【請求項２】
前記制御装置は、前記照明制御装置に論理的ＩＤが付与されていない場合、該照明制御装置の電源がオンになったことを検知して、該照明制御装置に対して論理的ＩＤを付与する機能を有し、該論理的ＩＤを識別して該照明制御装置と無線通信することを特徴とする、請求項１記載の現場で照明制御装置の論理的ＩＤと物理的位置を対応付け可能な照明制御システム。
【請求項３】
前記設定器は、さらに、前記設定画面上で前記フロア図を複数のエリアに分割する設定者の指示を受け付ける機能を有し、
前記制御装置は、該指示に従って前記フロア図を複数のエリアに分割し、各エリアにエリアＩＤを付与して前記対応テーブルに記憶することを特徴とする、請求項１または２記載の現場で照明制御装置の論理的ＩＤと物理的位置を対応付け可能な照明制御システム。
【請求項４】
前記設定器は、さらに、前記エリア画面上で前記照明制御装置に対する調光を指示する第４の指示を受け付ける機能を有し、
前記制御装置は、前記第４の指示に従って前記照明制御装置と無線通信し、該照明制御装置に対して調光の制御コマンドを送信する機能を有することを特徴とする、請求項１ないし３のいずれか１つに記載の現場で照明制御装置の論理的ＩＤと物理的位置を対応付け可能な照明制御システム。
【請求項５】
設定器、制御装置、および前記制御装置と無線通信して調光信号を送出する照明制御装置を備えた照明制御システムにおける、現場で照明制御装置の論理的ＩＤと物理的位置を対応付けて調光する照明制御方法であって、
前記制御装置が、照明制御装置の設置位置確認のための設定画面を生成し、前記設定器が該設定画面を表示する第１のステップと
前記設定器が、前記設定画面上で、設置位置確認の対象とする照明制御装置を指示する第１の指示を受け付け、前記制御装置が、前記第１の指示に従って該当する照明制御装置に対して、他の照明制御装置と区別する調光指示を送信する第２のステップと、
前記設定器が、前記設定画面上で、設置位置確認の対象とした照明制御装置の位置を指示する第２の指示を受け付け、前記制御装置が、前記第２の指示で指示された前記設定画面上の位置に前記照明制御装置を表示した画面を生成してエリア画面とし、前記設定器が、該エリア画面を表示するとともに、前記制御装置が、前記エリア画面上の前記照明制御装置の位置に対応する物理的位置を前記照明制御装置のノードＩＤとしての論理的ＩＤに対応付けて対応テーブルに記憶する第３のステップと、
前記設定器が、前記エリア画面上で、表示されている照明制御装置の位置を他の位置に変更する第３の指示を受け付け、前記制御装置が、前記第３の指示で指示された前記エリア画面上の他の位置に前記照明制御装置を表示した画面を生成して新たなエリア画面とし前記設定器が、該新たなエリア画面を表示するとともに、前記制御装置が、前記他の位置に対応する物理的位置を前記照明制御装置のノードＩＤとしての論理的ＩＤに対応付けるようにして対応テーブルを変更する第４のステップを有する、現場で照明制御装置の論理的ＩＤと物理的位置を対応付けて調光する照明制御方法。
【請求項６】
前記設定器が前記エリア画面上で前記照明制御装置に対する調光を指示する第４の指示を受け付け、前記制御装置が前記第４の指示に従って前記照明制御装置と無線通信し、該照明制御装置に対して調光の制御コマンドを送信する第５のステップを有する、請求項５記載の現場で照明制御装置の論理的ＩＤと物理的位置を対応付けて調光する照明制御方法。
【発明の詳細な説明】
【技術分野】
【０００１】
本発明は、現場で照明制御装置の論理的IDと物理的位置を対応付け可能な照明制御システムおよび照明制御方法に関し、特に、照明制御装置の論理的IDと物理的位置を対応付けるための対応テーブルを事前に作成することなく、現場で目視により確認しながら簡便に作成できるようにした、現場で照明制御装置の論理的IDと物理的位置を対応付け可能な照明制御システムおよび照明制御方法に関する。
【背景技術】
【０００２】
灯具の照度や点灯/消灯などをPWM方式などによる制御信号を用いて制御できる照明制御システムが知られている。このような照明制御システムを工場や大規模店舗などに設置する際、無線通信方式を利用して制御信号を送受するようにすることが、配線工事費用の削減や設置時間の短縮などの点で有利である。
【０００３】
しかし、制御信号に従って所定の灯具の照度や点灯/消灯などを制御するためには、各灯具に照明制御装置を付随させ、制御装置から所定の照明制御装置宛に制御信号を送信することが必要となる。制御装置から所定の照明制御装置宛の制御信号の送信は、ネットワークにおける照明制御装置のノードIDを用いれば可能であるが、そのためには、制御装置に各照明制御装置のノードIDとして論理的IDを登録し、制御装置が、どの照明制御装置宛のものであるか識別可能に制御信号を送信し、各照明制御装置が自己宛の制御信号を識別できるようにしておく必要がある。このように、制御装置に各照明制御装の論理的IDを登録する作業を、以下では、ペアリングと称する。
【０００４】
一方、ある物理的位置に配置された灯具の調光を行うとき、設定者は、各灯具の物理的位置を指定することによりそれを実行できるようにするのが好ましい。この場合、制御装置は、設定者により指定された灯具の物理的位置を該灯具に付随する照明制御装置の論理的IDに変換し、該論理的IDの照明制御装置を宛先として制御情報を送信する必要がある。灯具の物理的位置を該灯具に付随する照明制御装置の論理的IDに変換するためには、論理的IDと物理的位置を対応付ける情報が必要となる。
【０００５】
特許文献１には、エリアの照明環境などを調整する機器(環境制御機器)に、電源からの電力供給経路ごとの物理アドレスおよび電力供給制御装置による制御のための論理アドレスを割り当て、両者の対応関係を示す変換テーブルを予め記憶しておき、フィールドエンジニアが論理アドレスを知らなくても物理アドレスを確認しながら環境制御機器の機器動作情報を設定できるようにした機器管理システムが記載されている。
【先行技術文献】
【特許文献】
【０００６】
【特許文献１】特開２０１２−１３３５５２号公報
【発明の概要】
【発明が解決しようとする課題】
【０００７】
従来では、特許文献１に記載されているように、制御対象機器の論理的ID(論理アドレス)と物理的位置(物理アドレス)を対応付けて対応テーブルとして予め記憶させるので、対応テーブルの作成の際、既に制御対象機器の論理的IDと物理的位置の対応が分かっている必要がある。また、制御対象機器の設置に際し、その設置位置を予め決められた位置から変更したり調整したりした場合、対応テーブルの書き換えが必要となるが、従来では、それに手間がかかり、柔軟性が低いという課題があった。特許文献１には、制御対象機器の論理的IDと物理的位置を対応付ける対応テーブルを、現場の状況に応じて簡便に作成する手法は提案されていない。
【０００８】
本発明の目的は、上記課題を解決し、照明制御装置の論理的IDと物理的位置を対応付けるための対応テーブルを事前に作成することなく、現場で目視により確認しながら簡便に作成できるようにした、現場で照明制御装置の論理的IDと物理的位置を対応付け可能な照明制御システムおよび照明制御方法を提供することにある。
【課題を解決するための手段】
【０００９】
上記課題を解決するため、本発明の照明制御システムは、設定器、制御装置、および前記制御装置と無線通信して調光信号を送出する照明制御装置を備え、前記設定器は、前記制御装置で生成された設定画面を表示する機能、前記設定画面上で、設置位置確認の対象とする照明制御装置を指示する第１の指示を受け付ける機能、前記設定画面上で、設置位置確認の対象とした照明制御装置の位置を指示する第２の指示を受け付ける機能、前記第２の指示に従って前記制御装置で生成されたエリア画面を表示する機能、前記エリア画面上で、表示されている照明制御装置の位置を他の位置に変更する第３の指示を受け付ける機能を有し、前記制御装置は、前記照明制御装置の設置位置確認のためのフロア図を含む前記設定画面を生成して前記設定器に送出する機能、前記第１の指示に従って該当する照明制御装置に対して、他の照明制御装置と区別する調光指示を送信する機能、前記第２の指示で指示された前記設定画面上の位置に前記照明制御装置を表示した画面を生成して前記エリア画面として前記設定器に送出するとともに、前記エリア画面上の前記照明制御装置の位置に対応する物理的位置を前記照明制御装置のノードＩＤとしての論理的ＩＤに対応付けて対応テーブルに記憶する機能、前記第３の指示で指示された前記エリア画面上の他の位置に前記照明制御装置を表示した画面を生成して新たなエリア画面として前記設定器に送出するとともに、前記他の位置に対応する物理的位置を前記照明制御装置のノードＩＤとしての論理的ＩＤに対応付けるようにして対応テーブルを変更する機能を有することを特徴としている。
【００１０】
ここで、前記制御装置は、前記照明制御装置に論理的IDが付与されていない場合、該照明制御装置の電源がオンになったことを検知して、該照明制御装置に対して論理的IDを付与する機能を有し、該論理的ＩＤを識別して該照明制御装置と無線通信することが好ましい。
【００１１】
また、前記設定器が、さらに、前記設定画面上で前記フロア図を複数のエリアに分割する指示を受け付ける機能を有し、前記制御装置が、該指示に従って前記フロア図を複数のエリアに分割し、各エリアにエリアＩＤを付与して前記対応テーブルに記憶することも好ましい。
【００１２】
また、前記設定器が、さらに、前記エリア画面上で前記照明制御装置に対する調光を指示する第４の指示を受け付ける機能を有し、前記制御装置が、前記第４の指示に従って前記照明制御装置と無線通信し、該照明制御装置に対して調光の制御コマンドを送信する機能を有することも好ましい。
なお、本発明は、照明システムとしてだけでなく、各装置での動作を順次実行するステップを有する照明制御方法としても実現できる。
【発明の効果】
【００１３】
本発明によれば、照明制御装置の論理的IDと物理的位置を対応付けるための対応テーブルを事前に作成することなく、現場で目視により確認しながら簡便に作成するので、照明制御装置の配置や、照明を一括制御するエリアなどの設計の妥当性を現場で視覚的に確認しながら対応テーブルを作成できる。
【００１４】
設定者は、フロア図を含む設定画面上で照明制御装置を選択するだけで、それに対応する実際の灯具を点滅させるなど、調光することができ、これにより調光されている灯具の設置位置を目視しながら、設定画面上で該位置を指示するだけで、該当する照明制御装置の論理的IDに対応させてその物理的位置を記憶させることができる。ここで、設定画面のフロア図に、実際の間取りを重ね合わせて表示させれば、設定画面と実際のフロアとの対応をより簡単に把握できる。
【００１５】
また、照明制御装置の配置や、照明を一括制御するエリアなどの設計を変更した場合でも、それに対して照明制御装置の論理的IDに対応付けるその物理的位置を容易に変更できるので、施工者の手間や設定時間を低減することができる。
【図面の簡単な説明】
【００１６】
【図１】本発明の照明制御システムの一実施形態を概略的に示すブロック図である。
【図２】制御装置の構成の一例を詳細に示すブロック図である。
【図３】照明制御装置の構成の一例を示すブロック図である。
【図４】本発明の照明制御システムの動作を示すタイミングチャートである。
【図５】手動でのペアリングの動作を示すタイミングチャートである。
【図６】自動でのペアリングの動作を示すタイミングチャートである。
【図７】照明制御装置の設置位置確認の動作を示すタイミングチャートである。
【図８】店舗エリアでの照明制御装置の実際の設置例を示す図である。
【図９】設定器に表示される設定画面の一例を示す図である。
【図１０】設定画面での照明制御装置の物理的位置の指示を示す図である。
【発明を実施するための形態】
【００１７】
以下、図面を参照して、本発明を説明する。なお、以下では、実際の調光上で灯具の照度および点灯/消灯などの制御(調光)まで含めて説明するが、本発明は、特に、照明制御装置の論理的IDに対応させてその物理的位置を記憶させる事項に特徴があり、必ずしも実際の調光上での灯具の制御まで要件とするものでない。
【００１８】
図１は、本発明の照明制御システムの一実施形態を概略的に示すブロック図である。
【００１９】
本実施形態の照明制御システムは、設定器11、制御装置12、照明制御装置131〜13nおよび灯具(照明負荷)141〜14nを備える。ここで、制御装置12は、各照明制御装置131〜13nと無線通信する。また、照明制御装置131〜13nと灯具141〜14nは、各1つずつが一体化(ユニット化)されてそれぞれ照明機器151〜15nを構成する。したがって、照明制御装置131〜13n、灯具141〜14nおよび照明機器151〜15nのエリア上での設置位置は同じである。
【００２０】
設定器11は、例えば、PCやタブレットなどの端末で構成され、照明制御装置131〜13nの設置位置確認のためのフロア図を含む設定画面を表示する。設定画面では、設定者指示によりフロアを適宜のエリアに分割し、各エリアにエリアIDを付与することができる。なお、設定画面は、制御装置12に予め記憶させておき、それを設定器11での設定者指示に従って加工すればよい。
【００２１】
設定器11で設定画面が表示されている状態において、設定者は、照明制御装置131〜13nの設置位置確認のための点滅指示をどの照明制御装置131〜13nに対して行うか指示することができ、制御装置12は、この設定者指示に従って、該当する照明制御装置に点滅指示を送出する。また、設定者は、設定画面のエリア図において照明制御装置131〜13nのエリア上の位置を指示することができる。制御装置12は、この設定者指示に従って、該位置に照明制御装置131〜13nを表示した設定画面を生成してエリア画面とし、設定器11は、そのエリア画面を表示する。
【００２２】
また、設定器11は、上記エリア画面を表示し、設定者は、このエリア画面において、照明制御装置131〜13nでの調光値(照度、点灯/消灯/点滅などの制御値)を指示して調光できる。
【００２３】
これらの設定者指示は、有線または無線LANなどにより制御装置12に送信される。
【００２４】
制御装置12は、照明制御装置131〜13nの設置位置確認のための設定画面を生成して設定器11に送出し、設定器11から照明制御装置131〜13nに対する点滅指示を受けると、該当する照明制御装置に対して点滅指示を送信する。これにより、該当する灯具141〜14nが点滅する。また、設定器11から照明制御装置131〜13nの位置を指示する設定者の指示を受けると、該指示に従って、指示された位置に照明制御装置131〜13nを表示した設定画面を生成してエリア画面とし、該エリア画面を設定器11に送出するとともに、照明制御装置131〜13nのノードIDとしての論理的IDに対応付けて、指示された位置に対応する物理的位置(フロア上の位置)および該物理的位置が属するエリアのエリアIDを対応テーブルに記憶する。なお、灯具141〜14nの点滅は、適当な時間後または設定者指示により終了させればよい。
【００２５】
また、制御装置12は、設定器11から照明制御装置131〜13nに対する調光(照度、点灯/消灯/点滅など)の設定者指示を受けると、照明制御装置131〜13nと無線通信し、照明制御装置131〜13nに対して灯具141〜14nの調光(照度、点灯/消灯/点滅などの制御)の設定者指示に応じた制御コマンドを送信する。ここで、点灯の制御コマンドでは、調光値を任意に指定でき、点滅の制御コマンドでは、点灯時の調光値や点滅間隔を任意に指定できる。
【００２６】
以上のように、制御装置12は、照明制御装置131〜13nと無線通信を行うので、その前に、照明制御装置131〜13nとペアリング処理を実行し、そのノードIDとして論理的IDを登録しておく必要がある。このペアリング処理は、自動でも手動でも実行可能である。例えば、設定器11から制御装置12を操作し、未ペアリング状態の照明制御装置131〜13nの電源がオンになった際、制御装置12から照明制御装置131〜13nに自動的に論理的IDを付与するように設定しておけば、照明制御装置131〜13nの電源を一斉にオンにすることで、未ペアリング状態の全ての照明制御装置131〜13nの間でのペアリング処理を自動的に実行することができる。また、設定器11から制御装置12を通して照明制御装置131〜13nを1つずつ選択し、それに論理的IDを付与するようにすることで、手動でペアリング処理を実行することもできる。
【００２７】
照明制御装置131〜13nは、制御装置12から調光の制御コマンドを受信すると、灯具141〜14nに対して調光信号を送出する。
【００２８】
灯具141〜14nは、照明制御装置131〜13nと配線などによって接続され、照明制御装置131〜13nから送出される調光信号に従って調光(照度、点灯/消灯/点滅などの制御)する。この調光ではPWM方式を利用できる。
【００２９】
図２は、制御装置12の構成の一例を詳細に示すブロック図である。
【００３０】
この制御装置12は、設定記憶部21、照明制御装置情報記憶部22、通信部23、操作認識部24、設定画面生成・記憶部25および時刻監視部26を備える。
【００３１】
設定記憶部21は、各照明制御装置131〜13nの物理的位置と該物理的位置が属するエリアのエリアIDおよび各照明制御装置131〜13nのノードIDとしての論理的IDとを紐付けた対応テーブル211を持つ。また、設定記憶部21は、灯具141〜14nを調光するためのスケジュールテーブル212を持つ。スケジュールテーブル212は、曜日・日付、時刻、エリアIDおよび調光値からなる。スケジュールテーブル212により任意の曜日・日付、時刻、エリアおよび調光値を指定して調光できる。
【００３２】
照明制御装置情報記憶部22は、制御装置12がペアリング処理を実行した照明制御装置131〜13nの照明制御装置情報(論理的ID)221を記憶する。
【００３３】
通信部23は、設定器11および照明制御装置131〜13nとの通信を行う。なお、設定器11とは有線または無線LANなどで通信し、照明制御装置131〜13nとは、無線通信方式で通信する。
【００３４】
操作認識部24は、設定器11での設定者指示を認識し、設定画面のフロア図の分割操作を認識すると、それを設定画面部25に反映させて設定画面のフロア図を各エリアに分割し、各エリアにエリアIDを付与する。また、設定器11で照明制御装置131〜13nの設置位置確認のための点滅指示が行われたことを認識すると、それを設定画面生成・記憶部25に反映させて設定画面上の該当するシンボルを点滅させ、該設定画面を設定器11に表示させるとともに、通信部23を通して、該シンボルに対応する照明制御装置131〜13nに点滅信号を送信する。
【００３５】
また、設定器11で照明制御装置131〜13nの位置を指示する設定者指示が行われたことを認識すると、それを設定画面生成・記憶部25に反映させて設定画面上の該当するシンボルを該位置に移動させ、該設定画面をエリア画面として設定器11に表示させるとともに、照明制御装置131〜13nの論理的IDに対応付けて、指示された位置に対応する物理的位置(フロア上の位置)および該物理的位置が属するエリアのエリアIDを対応テーブルに記憶する。
【００３６】
設定画面生成・記憶部25は、照明制御装置131〜13nの設置位置確認のための設定画面を記憶しており、操作認識部24での設定者指示の認識結果に従って、該設定画面を加工し、通信部23を通じて、設定器11に送出する。設定器11では、設定画面あるいはエリア画面が設定者に提示される。
【００３７】
時刻監視部26は、制御装置12が持つ現在時刻とスケジュールテーブル212が持つスケジュールの時刻を定期的に比較し、制御装置12の現在時刻がスケジュールの時刻を過ぎたとき、スケジュールテーブル212の内容に従って該当エリア内の全照明制御装置131〜13nに対して指定の調光の制御コマンドを送信する。調光の制御コマンドでは、例えば、PWM方式により点灯の調光値を指定できる。調光の制御コマンドの送信は、店舗への適用では、エリア単位で行う。1つのエリア内には、複数の照明制御装置131〜13nが含まれるのが普通である。調光の制御コマンドの送信は、スケジュールテーブル212に設定された時刻になったときを契機としてだけでなく、設定者が設定器11から指示することにより適宜行わせることができる。なお、調光の制御コマンドの送信を、照明制御装置単位で行うこともできる。
【００３８】
制御装置12は、人感センサや照度センサを備えてもよい。これにより、人感知を契機として調光の制御コマンドを送信して灯具141〜14nを点灯させたり、照度が所定値以下になったことを契機として調光の制御コマンドを送信して灯具141〜14nを点灯させたりすることができる。
【００３９】
図３は、照明制御装置13(131〜13n)の構成の一例を示すブロック図である。
【００４０】
この照明制御装置13(131〜13n)は、通信部31(311〜31n)および調光信号出力部32(321〜32n)を備える。
【００４１】
通信部31(311〜31n)は、無線通信方式で制御装置12と通信する。
【００４２】
調光信号出力部32(321〜32n)は、通信部31(311〜31n)が制御装置12から調光の制御コマンドを受信したとき、調光信号を灯具(141〜14n)に送出し、その照度、点灯/消灯/点滅などを制御する。すなわち、調光信号送出部32(321〜32n)は、制御装置12から照明制御装置131〜13nに送信される調光の制御コマンドに従って灯具(141〜14n)の調光を行う。
【００４３】
図４は、本発明の照明制御システムの動作を示すタイミングチャートである。
【００４４】
まず、照明機器151〜15nを店舗エリアに適宜設置し、制御装置12から照明制御装置131〜13nに論理的IDを付与してペアリングを行う(S1)。これにより、制御装置12の照明制御装置情報記憶部22は、ペアリングした照明制御装置131〜13nの照明制御装置情報(ノードIDとしての論理的ID)221を記憶する(S2)。
【００４５】
次に、制御装置12の設定画面生成・記憶部25が記憶しているフロア図を含む設定画面を設定器11に送出し(S3)、この設定画面を表示させる(S4)。設定者は、この設定画面のフロア図を適宜のエリアに分割し、各エリアにエリアIDを付与することができる。
次に、設定者が設定器11で1つの照明制御装置(シンボル)を指示すると(S5)、制御装置12から該シンボルに対応する論理的IDの照明制御装置131〜13nに点滅指示が送信され(S6)、さらに、照明制御装置131〜13nから灯具141〜14nに点滅信号が送出されてそれが点滅する(S7)。
【００４６】
設定者が、点滅している灯具の位置を確認し、点滅している灯具141〜14nのフロア上の位置に対応する位置を指示すると(S8)、制御装置12は、設定画面を加工してシンボルを該位置に移動させてエリア画面を生成するとともに、照明制御装置131〜13nの論理的IDに物理的位置、すなわち、指示された位置を対応付け、それを対応テーブル211に記憶する(S9)。エリア画面は、設定器11に送出され(S10)、そこで表示される(S11)。
【００４７】
設定者が、エリア画面上で照明制御装置131〜13nに対して調光を指示すると(S12)、制御装置12は、対応テーブル211を用いて照明制御装置131〜13nの物理的位置をその論理的IDに変換し(S13)、それを宛先として調光の制御コマンドを照明制御装置131〜13nに送信する(S14)。
【００４８】
照明制御装置131〜13nは、その制御コマンドから調光信号を生成して灯具141〜14nに送出する(S15)。これにより、灯具141〜14nが調光される。
【００４９】
図５は、手動でのペアリングの動作を示すタイミングチャートである。
【００５０】
まず、S601では、設定器11から制御装置12に対してペアリング準備操作を行い、S602では、制御装置12がS601の操作に従ってペアリング開始を認識し、S603で、設定器11に対し、ペアリング開始を通知する画面情報を送出する。
【００５１】
次に、S604で、照明制御装置131の電源をオンし、S605で、ペアリング用ボタンを押下すると、S606で、ペアリング信号が制御装置12に送信される。制御装置12は、S607で、ペアリング信号を受信した照明制御装置131に付与する論理的IDを決定し、この論理的IDを照明制御装置情報221に記憶する。この論理的IDは、ネットワーク上でのノードIDとして機能する。
【００５２】
次に、S608では、制御装置12と照明制御装置131間で、ペアリングに必要な無線通信シーケンスを開始し、S609では、照明制御装置131は、S607で決定された論理的IDを制御装置12から取得する。この無線通信シーケンスは、Z-Waveを想定したが、他の通信方式でも対応できる。
【００５３】
以上により、照明制御装置131とのペアリングが完了するので、S610で、制御装置12は、ペアリング処理を終了し、S611で、制御装置12は、設定器11に対し、照明制御装置131とのペアリングが終了したことを通知する画面情報を送出する。
【００５４】
設定者は、上記画面を確認した後、S601〜S611と同様の手順を、制御装置12と照明制御装置132〜13nの間で繰り返し実行する(S612〜S633)。
【００５５】
S634〜S638で、制御装置12は、最後にペアリング開始を認識したタイミングより一定時間T1の間に照明制御装置からのペアリング信号がない場合は、ペアリング処理を終了し、設定器11に対し、全ての照明制御装置131〜13nの間でのペアリング処理が終了したことを通知する画面情報を送出する。
【００５６】
図６は、自動でのペアリングの動作を示すタイミングチャートである。
【００５７】
まず、S701では、設定器11から制御装置12に対してペアリング準備操作を行い、S702では、制御装置12がS701の操作に従ってペアリング開始を認識し、S703で、設定器11に対し、ペアリング開始を通知する画面情報を送出する。
【００５８】
次に、S704で、全ての照明制御装置131〜13nの電源をオンすると、S705で、照明制御装置131〜13nは、ペアリング信号を制御装置12へ送信する。制御装置12がペアリングシーケンスを実行できるのは、一度につき1つの照明制御装置だけである。そこで、制御装置12は、照明制御装置131とペアリングシーケンスを実行し、その実行中に他の照明制御装置132〜13nから受信したペアリング信号は無視する。ペアリングシーケンスを実行できなかった照明制御装置132〜13nは、一定時間T2ごとにペアリング信号を制御装置12へ再送する(S710,S715)。
【００５９】
S706で、制御装置12は、ペアリング信号を受信した照明制御装置131に付与する論理的IDを決定し、この論理的IDを照明制御装置情報221に記憶する。この論理的IDは、ネットワーク上でのノードIDとして機能する。
【００６０】
次に、S707では、制御装置12と照明制御装置131間で、ペアリングに必要な無線通信シーケンスを開始し、S708では、照明制御装置131は、S706で決定された論理的IDを制御装置12から取得する。この無線通信シーケンスは、Z-Waveを想定したが、他の通信方式でも対応できる。
【００６１】
以上により、照明制御装置131とのペアリングが完了するので、制御装置12は、設定器11に対し、照明制御装置131とのペアリングが終了したことを通知する画面情報を送出する。
【００６２】
S705〜S709と同様の手順を、制御装置12と照明制御装置132〜13nの間で繰り返し実行する(S710〜S719)。
【００６３】
S720では、制御装置12は、最後にペアリングシーケンスを実行したタイミングより一定時間T3の後、ペアリング処理を終了し、設定器11に対し、全ての照明制御装置131〜13nの間でのペアリング処理が終了したことを通知する画面情報を送出する。
【００６４】
図７は、照明制御装置131〜13nの設置位置確認および対応テーブル211の作成の動作を示すタイミングチャートである。
【００６５】
ここでは、後で図９に示すように、既に、照明制御装置131〜13nのシンボルおよびフロア図を含む設定画面が作成され、フロア図が複数のエリアに分割されて各エリアにエリアIDが付与されているものとする。
【００６６】
まず、S1201で、設定者は、設定器11の設定画面上で1つの照明制御装置のシンボルを選択する。これにより、S1202で、設定器11から、どの照明制御装置のシンボルが選択されたかの情報が制御装置12に送出される。
【００６７】
S1203で、制御装置12は、設定器11から送出された情報に基づき、選択されたシンボルに対応する照明制御装置の論理的IDを、照明制御装置情報221から検索する。
【００６８】
次に、S1204では、S1203で検索された論理的IDを宛先として点滅コマンドを無線送信する。S1205で、この点滅コマンドを受信した照明制御装置は、灯具に点滅信号を送出し、S1206で、灯具は、この点滅信号を受けて点滅する。
【００６９】
設定者は、点滅している灯具の位置を確認し、S1207で、S1201で選択したシンボルを、点滅している灯具の設置位置に対応する設定画面上の位置に配置させる。すると、設定器11は、S1208で、どのシンボルが選択されたかの情報と、選択されたシンボルがどの位置に配置されたかの物理的位置情報を制御装置12に送信する。
【００７０】
S1209で、制御装置12は、照明制御装置131〜13nの論理的IDに対応させてその物理的位置およびそれが属するエリアのエリアIDを変換テーブル211に記憶する。
【００７１】
以上の動作を、照明制御装置131〜13nの各々について実行することにより、各照明制御装置131〜13nの設置位置を視覚的に確認しながら、対応テーブルを作成することができる。
【００７２】
以下、本発明の照明制御システムの動作を、照明制御装置131〜13n(照明機器151〜15n)を店舗エリアに設置した場合を例にして具体的に説明する。
【００７３】
まず、照明制御装置131〜13nを店舗エリアに適宜設置し、制御装置12と照明制御装置131〜13nのペアリング処理を実行する。このペアリング処理は、図５および図６を参照して詳細に説明したように、自動でも手動でも実行できる。これにより、制御装置12の照明制御装置情報記憶部22は、ペアリングした照明制御装置131〜13nの照明制御装置情報(論理的ID)221を記憶する。
【００７４】
図８は、店舗エリアでの照明制御装置の実際の設置例を示す。ここでは、店舗エリアに全体として30個の照明制御装置を設置した場合を示している。
【００７５】
次に、制御装置12に設定器11を接続する。制御装置12は、設定画面生成・記憶部25が記憶している店舗のフロア図を含む設定画面を設定器11に送出し、設定器11は、この設定画面を表示する。設定者は、この設定画面のフロア図を適宜のエリアに分割し、各エリアにエリアIDを付与することができる。
【００７６】
図９は、このとき設定器11に表示される設定画面の一例を示す図である。
【００７７】
ここで、領域(A)には、制御装置12とペアリング済みの照明制御装置131〜13nをシンボルで表示する。このシンボルの数は、制御装置12とペアリング済みの照明制御装置131〜13nの数に一致し、各シンボルには、照明制御装置情報221が記憶する1つの論理IDが対応する。
【００７８】
領域(B)には、人感センサをシンボルで表示し、領域(C)には、照度センサをシンボルで表示する。人感センサのシンボルの数は、制御装置12とペアリング済みの人感センサの数に一致し、照度センサのシンボルの数も、制御装置12とペアリング済みの照度センサの数に一致し、各シンボルには、人感センサおよび照度センサの1つの論理IDが対応する。なお、人感センサや照度センサは、必ずしも必要としない。したがって、領域(B),(C)はない場合もある。
【００７９】
領域(D)には、実際に照明制御装置131〜13nが設置されたエリアのフロア図を表示する。このフロア図には、1マスごとの区切りを表示し、これにより、設定者は、フロア内に1マスを単位として1つ以上のエリアを設定できる。設定されるエリアは、連続したエリアでも不連続のエリアでもよい。これにより設定された各エリアにはそれぞれエリアIDを付与する。ここでは、フロア内に6個のエリア(1)〜(6)が設定された場合を示している。エリアの設定は、例えば、フロア図に表示されているマスを、クリックなどの操作で選択したり、ドラッグとドロップなどの操作で選択したりすることで可能である。
【００８０】
なお、領域(E)の選択により、店舗の他のフロア図を表示させることができる。
【００８１】
次に、設定者が、領域(A)に表示されている1つのシンボルを選択すると、制御装置12は、その選択を受けて、該シンボルを点滅させるとともに、設定器に論理的IDを表示させ、該シンボルに対応する論理的IDの照明制御装置に対して点滅の制御信号を送信する。これにより、該当する照明制御装置に接続されている灯具が点滅する。
【００８２】
設定者が、点滅している灯具の位置を確認し、上記手順で選択したシンボルを、該灯具のフロア上での位置に対応する領域(D)のマス内に位置させると、制御装置12は、該マスの位置(物理的位置)を当該照明制御装置の論理的IDに対応付け、それを対応テーブル211に記憶する。さらに、該マスの位置が属するエリアのエリアIDも対応付けて対応テーブル211に記憶する。
【００８３】
シシンボルのマス内への移動は、例えば、シンボルを選択してドラッグとドロップの操作などで可能であり、シンボルをクリックした後にその移動先をクリックする操作でも可能である。
【００８４】
設定画面のフロア図は、実際に照明制御装置131〜13nが設置されたフロアに対応しているので、設定画面のフロア図の位置と実際のフロアの位置との対応関係は容易に把握できる。また、フロア図に実際の間取りを背景として表示すれば、設定画面のフロア図の位置と実際のフロアの位置との対応関係をより容易に把握できるようになる。
【００８５】
上記の操作を繰り返し行うことによって、店舗に設置した全ての照明制御装置の論理的IDとその物理的位置を対応付けて対応テーブル211に記憶することができる。
【００８６】
図１０は、領域(A)のシンボルを領域(D)に移動させて照明制御装置131〜13n(照明機器151〜15n)の物理的位置に位置させた設定画面(エリア画面)を示す図である。なお、図１０は、図８に対応している。すなわち、図８の店舗エリアでの照明制御装置の実際の設置を目視により確認しながらシンボルを位置させた場合を示している。ここでは、人感センサおよび照度センサの物理的位置と論理的IDを対応付けも示している。
【００８７】
このように、店舗での照明制御装置131〜13nの実際の物理的位置に合わせてシンボルを位置させると、制御装置12は、照明制御装置の物理的位置をその論理的IDに対応付け、それを対応テーブル211に記憶する。
【００８８】
照明制御装置131〜13nの設置を変更した場合には、設定画面上のシンボルの位置を変更後の位置に対応するマス内に移動させれば、照明制御装置131〜13nの論理的IDに対して記憶されている対応テーブル211の物理的位置およびエリアIDを変更することができるので、照明制御装置131〜13nの設置が変更されても、それに柔軟に対応できる。
【００８９】
設定者は、設定器11での照明制御装置131〜13nのエリア画面により、照明制御装置131〜13nの調光値を指示して調光できる。
【００９０】
以上実施形態について説明したが、本発明は、上記実施形態に限定されるものでなく、種々変形可能である。例えば、上記実施形態では、照明制御装置131〜13nと灯具141〜14nの各1つずつが一体化(ユニット化)されて、それぞれ照明機器151〜15nを構成するとしたが、その一体化は必ずしも必要でなく、分割したり、1つの照明制御装置で複数の灯具を制御する構成も可能である。また、上記実施形態では、照明制御装置の設置位置確認のために点滅指示を送信するものとしたが、その指示は、他の照明制御装置と区別する調光指示であればよく、例えば、他より暗くする、あるいは明るくするなどの調光指示であってもよい。
また、設定モードと調光モードを設ければ、システム設定に関する指示と調光に関する指示の区別を明確できる。具体的には、制御装置12に設定器11が接続されたとき、制御装置12から設定器11に設定モードか調光モードを選択できるメニュー画面を表示させる。ここで、設定者が設定モードを選択すれば、以降の指示は、システム設定に関するものと認識され、調光モードを選択すれば、以降の指示は、調光に関するものと認識される。図４では、設定モードでのステップと調光モードでのステップを区別して示している。また、本発明は、照明システムとしてだけでなく、各装置での動作を順次実行するステップを有する照明制御方法としても実現できる。
【符号の説明】
【００９１】
11・・・設定器、12・・・制御装置、131〜13n・・・照明制御装置、141〜14n・・・灯具(照明負荷)、151〜15n・・・照明機器、21・・・設定記憶部、22・・・照明制御装置情報記憶部、23・・・通信部、24・・・操作認識部、25・・・設定画面生成・記憶部、26・・・時刻監視部、211・・・対応テーブル、212・・・スケジュールテーブル、221・・・照明制御装置情報(論理的ID)
【図１】
0006460317.tif 000002
【図２】
0006460317.tif 000003
【図３】
0006460317.tif 000004
【図４】
0006460317.tif 000005
【図５】
0006460317.tif 000006
【図６】
0006460317.tif 000007
【図７】
0006460317.tif 000008
【図８】
0006460317.tif 000009
【図９】
0006460317.tif 000010
【図１０】
0006460317.tif 000011